(57)【要約】【課題】熱変色インクを変色可能な摩擦体を使用する際に、不用意に筆記先端部が出没する不具合を解消可能とする。【解決手段】軸筒の内孔部に出没作動部が配設されると共に、摩擦体が軸筒の後端から適宜突出した状態に取付けられ、出没作動部の前方にボールペン筆記体が配設されて、摩擦体を被覆して保護部材が出没作動部と連動するように止着され、出没作動により筆記先端部が軸筒の先端口から出没状態に係止されると共に、摩擦体使用時には摩擦体が軸方向で固定状態となるように構成されてなる。【選択図】図１
2019155928.tif 000002
【特許請求の範囲】
【請求項１】
軸筒の内孔部に出没作動部が配設されると共に、熱変色インクを変色可能な摩擦体が軸筒の後端から適宜突出した状態に取付けられ、出没作動部の前方に筆記体が配設されて、摩擦体を被覆して保護部材が出没作動部と連動するように止着され、出没作動により筆記先端部が軸筒の先端口から出没状態に係止されると共に、出没作動部と連接して前方に弾性係合片を有した収納ケースを設け、収納ケースの後方にオレフィン系エラストマーで構成された低摩耗性の摩擦体を取付けると共に、摩擦体使用時には弾性係合片の先端が軸筒の段部に係止して出没作動がロックされ、保護部材を収納ケースに装着した時に、弾性係合片が変位されて軸筒との係止が解除され、出没作動が可能となるように設けられて筆記先端部が軸筒の先端口から出没状態に係止されるか、又は筆記体が繰り出し可能となるように構成されたことを特徴とする熱変色筆記具。
【発明の詳細な説明】
【技術分野】
【０００１】
本発明は、先方部に筆記体を備え、後方部に熱変色インクを変色可能な摩擦体を搭載した熱変色筆記具に関する。
【背景技術】
【０００２】
従来、カム溝と出没棒と回転カム部材よりなる出没機構部を備えて、出没棒の前後動に連動して回転カム部材が進退位置に位置決めされて熱変色インクを収容する筆記体の先端が軸先から出没し、筆記具の後端外面に露出した熱変色インクを摩擦して変色させる摩擦体を備えたものが知られている（特許文献１）。さらに、外面に露出した摩擦体の汚れを防ぐ為に保護部材を摩擦体の外周に覆うものも知られている（特許文献２）。
【先行技術文献】
【特許文献】
【０００３】
【特許文献１】国際公開第２００８／１０５２２７号
【特許文献２】特開２０１４-１２４８１０
【発明の概要】
【発明が解決しようとする課題】
【０００４】
然しながら、特許文献２に開示のものは、保護部材を外して摩擦体を使用する際に出没機構部が連動して不用意に先軸の先端口から筆記先端部が突出又は没入状態にセットされる不具合が生じる。そこで、本発明の目的は前記の不具合を解決することにある。
【課題を解決するための手段】
【０００５】
上記課題を達成するために案出された本発明の筆記具は、軸筒の内孔部に出没作動部が配設されると共に、摩擦体が軸筒の後端から適宜突出した状態に取付けられ、出没作動部の前方に筆記体が配設されて、摩擦体を被覆した保護部材が出没作動部と連動するように止着され、出没作動により筆記先端部が軸筒の先端口から出没状態に係止されるか、又は芯が繰り出し可能と成るように設けられ、摩擦体使用時には摩擦体が軸方向で固定状態となるように構成されたことを特徴とする。
【発明の効果】
【０００６】
本発明により、摩擦体を使用する際に筆記体が出没可能となる不具合を起こさず、かつ保護部材を筆記具に装着した際に筆記体が出没可能な熱変色筆記具を提供することができる。
【図面の簡単な説明】
【０００７】
【図１】本発明の実施例を示す縦断面図で、ボールペンの筆記先端部を先軸の先端口から収納した状態を示している。又、保護部材の着脱状態で弾性係合片の係脱状態を示している。
【発明を実施するための形態】
【０００８】
図１は本発明の実施例を示している。先ず、図１に示すように軸筒はキャップ１と飾りリング２９と先軸３０で構成される。キャップ１は筒体で、段部１｀に対し前方に螺子部２｀（弾性係合部でもよい）を有した前軸部２と、後方で筒体内部に突出した後軸部３が一体に設けられている。又、後軸部３には後端部１１と内孔部に段部１２と共にカム溝３｀が形成されている。又、キャップ１の後方側面にはクリップ１３が設けられ、前軸部２の後端には段部１｀に当接して飾りリング２９が止着されている。又、後軸部３の外側でキャップ１の内周には段部３ｂと縦溝３ａが形成されている。又、上記カム溝３には出没棒４の先方に形成されたカム部５を迎合させて出没棒４が後軸部３に対して前後動自在で嵌装され、出没棒４の全面にはカム部５の先端と対接するカム部９を備えた回転カム部材８がやはりカム溝３｀に迎合して配設されている。
【０００９】
以上の構成による出没作動部はカーン式又はダブルノック式出没機構部として広く知られたものと同様になされたものである。又、回転カム部材８の後方には後端が閉塞された筒状の軸部８｀が延設されて、軸部８｀は出没棒４のやはり後方に延設した軸部６の中心孔部に嵌装され、回転カム部材８は出没棒４に対して適宜範囲で軸推移、且つ回転自由となる関係で軸部８｀の外周部と出没棒４の中心孔との間に凸部と凸部の当接により規制される抜け止めの係合部（図示せず）が設けられている。又、出没棒４の軸部６後端外周部には溝状の係合部７が形成されている。
【００１０】
又、収納ケース１４は、外筒部１８の内孔部前端に中心に孔部１５を有した仕切り部１６が設けられ、仕切り部１６より後方に起立して内筒部１７が設けられている。又、外筒部１９の後端外周には突状の係合部１９が形成され、更に内筒部１７の側面には径方向の弾性変位が容易となるように適宜スリ割り部１７｀が設けられている。又、外筒部１８の前方には所要箇所で弾性係合片２０が延設され、弾性係合片２０の長手方向の略中央の周面には外方に膨出した突部２２が形成されている。又、上記仕切り部１６前方には内周部に所要箇所で溝部が形成された係合筒部２３が設けられて、収納ケース１４は一体の弾性に優れた合成樹脂で成形されている。
【００１１】
以上により、前記収納ケース１４がキャップ１の内孔部に挿入され、後軸部３の後端部１１と収納ケース１４の段部２５との間にコイルスプリング１０が附勢された状態で前記係合筒部２３の内孔部に出没棒４の軸部６の後端が挿入されて、仕切り部１６の孔部１５の縁が係合部７の溝に嵌入して出没棒４と収納ケース１４は一体に止着される。又、その時収納ケース１４の弾性係合片２０の先端部２１はキャップ１の段部３ｂに略当接状に対接する。尚、出没棒４の軸部６の外周には係合筒部２３の溝部と噛みあって相互を回転止めするリブ状の係合部２４が形成されている。
【００１２】
また、前記回転カム部材８の軸部８｀の内孔にボールペン筆記体３４の後端部が装着され、そのチューブ３５に形成された段差部３６に後端を当接してリターンスプリング３８が取付けられて、キャップ１の前軸部２の螺子部２｀には内孔部にそれと係止する螺子部３１（前軸部の弾性係合部と係止する弾性係合部としてもよい）を備えた先軸３０が固定されて、リターンスプリング３８の前端が先軸３０内孔先方のリブ状の段部３３に当接されて、筆記体であるボールペン筆記体３４は常時後方に附勢される。
【００１３】
また、内筒部１７の内孔には摩擦体２７が止着され、キャップ１の後端には前記収納ケース１４の外筒部１８に設けた係合部１９と着脱自在に係止する係合部２８を有した保護部材２６が摩擦体２７を被覆して嵌着される。この場合の係合部も相互の突部と突部又は溝と突部で形成されて、その関係が入れ変わってもよい。
【００１４】
本発明の実施例では出没作動部を通称カーン式又はダブルノック式と称する出没機構部とし、ボールペン筆記体３４の筆記先端部３７を先軸３０の先端口３２から出没するようにしている。
【００１５】
ボールペン筆記体３４は、チューブ３５の内部に熱変色インクを充填し、先端部には筆記ボールが保持されたボールペンチップである先端筆記部３７が装着されている。熱変色性インクとは、常温（例えば２５℃）で所定の色彩（第１色）を維持し、所定温度（例えば６５℃）まで昇温させると別の色彩（第２色）へと変化し、その後、所定温度（例えば-１０℃）まで冷却させると、再び元の色彩（第１色）へと復帰する性質を有するインクを言う。熱変色性インクを用いた筆記具１では第２色を無色とし、第１色（例えば赤）で筆記した描線を昇温させて無色とする構成でもよい。従って、描線が筆記された紙面等に対して摩擦体２７によって擦過して摩擦熱を生じさせ、それによって描線を無色に変化させる。なお、当然のことながら第２色は、無色以外の有色でもよい。さらに具体的な詳細を説明するとインクに含まれる色材は、（Ａ）電子供与性呈色性有機化合物、（Ｂ）電子受容性化合物、及び（Ｃ）両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。可逆熱変色性マイクロカプセル顔料は、粒子径の平均値が０．１〜５．０μｍ、好ましくは０．５〜２μｍの範囲にあることが好ましい。可逆熱変色性マイクロカプセル顔料は、インキ組成物全量に対し、好ましくは４〜３０重量％配合することが好ましい。なお、平均粒子径の測定は、粒度分布測定装置〔粒子径測定器Ｎ４Ｐｌｕｓ（ＣＯＵＬＴＥＲ社製）〕を用いる。
【００１６】
また、本発明の実施例ではボールペン筆記体３４は、例えば芯の繰り出し機構部の後方に位置する芯ケースを出没作動部として、その後端に収納ケース１４を連接した熱変色芯を繰り出すシャープペンシル筆記体やマーキングペン芯とすれば熱変色シャープペンシルや熱変色サインペンとして用いることができる。
【００１７】
摩擦体２７は、紙面等との摩擦動作によって熱変色インクを変色可能とし、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物で構成された低摩耗性のゴム弾性材料が挙げられる。
【００１８】
本発明の熱変色筆記具は以上のように構成されており、キャップ１の後端から摩擦体２７が適宜に突出して取付けられ、摩擦体を使用する際に押圧されると弾性係合片２０の先端部２１がキャップの段部３ｂに当接して前進が阻止される。即ち、出没作動不可となる。又、収納ケース１４に保護部材２６を止着した時には、その内壁で弾性係合片２０の突部２２が押されて、先端部２１が縮径方向に移動して縦溝３ａに対向するので出没作動が可能となり、ボールペン筆記体３４の筆記先端部３７が先軸３０の先端口３２から出没する。
【符号の説明】
【００１９】
１    キャップ
１｀  段部
２    前軸部
２｀  螺子部
３    後軸部
３｀  カム溝
４    出没棒
５    カム部
６    軸部
７    係合部
８  回転カム部材
８｀  軸部
９    カム部
１０  コイルスプリング
１１  後端部
１２  段部
１３  クリップ
１４  収納ケース
１５  孔部
１６  仕切り部
１７  内筒部
１７｀  スリ割り部
１８  外筒部
１９  係合部
２０  弾性係合片
２１  先端部
２２  突部
２３  係合筒部
２４  係合部
２５  段部
２６  保護部材
２７  摩擦体
２８  係合部
２９  飾りリング
３０  先軸
３１  螺子部
３２  先端口
３３  段部
３４  ボールペン筆記体
３５  チューブ
３６  段差部
３７  筆記先端部
３８  リターンスプリング
【図１】
2019155928.tif 000003
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
軸筒の後端開口から突出する弾性材料からなる摩擦体を有した出没作動部を操作することにより、前記軸筒内に配設した出没棒を前進させると共に当該軸筒内に配設した回転カム部材を回動させ、前記軸筒の内部に収容したボールペン筆記体の筆記先端部が該軸筒の前端孔より突出した状態となる熱変色筆記具であって、
前記出没作動部が、前記出没棒の後方に配した前記摩擦体を被覆可能な保護部材を有し、
前記保護部材を前記出没棒に嵌着させた状態で、前記保護部材の下部と前記出没棒に形成した段部とが当接し、
前記保護部材を出没作動することにより、前記保護部材で前記出没棒を前進させ、前記筆記先端部を前記軸筒の前端孔より突出させることを特徴とした熱変色筆記具。